(57)【要約】      （修正有）【課題】口腔内の様に狭い所で縫合糸を切断・除去するために使用する手術用のメスにおいて、その先端部の形状を変更することで、患部付近を傷つけることなく効率的に作業できる手術用のメスを提供する。【解決手段】メスの刃の端部のすくい上面１２は、長さＬの無刃部としメスの刃厚Ｔの３．５倍程度とする。上記すくい上面１２とメスの先端の下側面はほぼ平行に形成する。使用に当たっては、縫糸の下側にメスの先端を差し込んで、位置・状況を左右に振りながら確認した後、メスの刃１１を追い込んで縫糸をカットする。さらに上顎あるいは下顎など半球形状部分の縫糸のカットの作業を容易にすべく刃１１の反対側の背面にぬすみ１４を設る。上記のメスは、メス用ホルダーに装着して使用する。【選択図】図１
0003157568.tif 000002
【実用新案登録請求の範囲】
【請求項１】
人及び動物の外科手術で縫糸を切断・除去するために使用するメスにおいて、
イ）凹面したメスの刃の端部のすくい上面１２は、無刃部の長さＬに成形され、
ロ）刃先の端面１３の無刃部面のすくい上面１２とメスの先端部の下側面は、ほぼ平行になっており、
ハ）メスの先端部の無刃部の長さＬは、３．５Ｔの大きさの目安に成形され、また、刃先部の高さＨは、１．５Ｔの大きさの目安に成形され、
ニ）刃の反対側面は、凸面した三日月形の半径Ｒ０状に成形され、且つ、半径Ｒ０状の中程に半径Ｒ２のぬすみ１４の面を持って成形された、
ことを特徴とする手術用メス。
【請求項２】
口腔内の顎骨の粘膜／上皮の手術用メスにおいて、
イ）刃先部の上側端のすくい上面２２に平坦の無刃部の長さＬを設け、
ロ）刃の反対側の下側の面と刃先端との接合の角部には、半径ｒ面をつけ、
ハ）刃先端の無刃部の長さＬは、３．５Ｔの大きさの目安にて成形され、
また、刃先部の高さＨは、１．５Ｔの大きさの目安にて成形され、
ニ）刃の反対側の背面には、大きな三日月形の半径Ｒ０の中程に凹面のぬすみ１４を設けた、
ことを特徴とする口腔内で使用する手術用メス。
【請求項３】
口腔内の顎骨の粘膜／上皮の手術用メスにおいて、
イ）刃先部の上側端のすくい上面３２に凹面状した無刃部の長さＬを設け、
ロ）刃先端の無刃部の長さＬは、３．５Ｔの大きさの目安にて成形され、
また、刃先部の高さＨは、１．５Ｔの大きさの目安にて成形され、
ハ）刃の反対側の下側の面と刃先端３３との結合の刃先角部は、小さい半径ｒを設け、
ニ）刃の反対側の背面は、三日月形の半径Ｒ０の形状に成形した、
ことを特徴とする口腔内で使用する手術用メス。
【考案の詳細な説明】
【技術分野】
【０００１】
本考案は、人及び動物の外科手術の際の縫合糸を切断・除去するときに使用する手術用のメス（または、ナイフ）に関するものである。
【背景技術】
【０００２】
例えば、図５に示す下顎５１（或いは、上顎）の粘膜／上皮５２の切断部を縫糸２６で縫合わせをする外科手術において、切断部を縫合した縫糸の取外しを行う時には、縫糸をピンセット２７にて摘みあげ、その上皮との間に出来た隙間に図の様にナイフ１０（あるいは、カッターまたは、はさみ）を差込みしてカットしていた。（例えば、特許文献１）
【０００３】
なお、縫糸の取外しの際にピンセット２７を使用しないで出来るものが、特許文献１の中で見受けられる。また、刃の切込み深さを調節の出来る外科手術用ナイフ（例えば、特許文献２）も掲示されている。
また、市販のナイフ（カッター）として、機械器具３４医療用刃  管理医療機器；単回使用メス用刃  ３７４４５０００  フェザー替刃メス（非特許文献１）がある。
【０００４】
従来、歯科医が口腔内での粘膜／上皮の切断部を縫合した縫糸を取外すときは、ナイフあるいは、はさみまたは、メスを使用して行っていた。これらは、狭い人の口腔内にての作業でピンセット及びはさみで両手に持って行っていたので作業効率が悪く、被治療者に長い苦痛を与えたり、口腔内での傷を生じ易かった。そのため、治療者及び被治療者の共々に精神的、肉体的に負担をかけていた。また、前記の文献らも刃先部が大きくて作業の空間スペースが大である所には良いが、口腔内のように狭い所での使用は、同じ様な問題があり、改良の余地があった。
【先行技術文献】
【特許文献】
【０００５】
【特許文献１】特開平７−２８４４９８号公報
【特許文献２】実用新案公開平５−７８２０６号
【非特許文献１】ＪＩＳ  Ｔ２１０７  形状と品番ＮＯ．１２
【考案の概要】
【考案が解決しようとする課題】
【０００６】
これらの前記のメスは、平面部での縫糸のカット対応の文献であるが、狭い所、例えば口腔内の顎上皮の半球面（図５参照）の縫糸をカットするときは、前記の問題が追加された課題となる。
特に初期のカット時のミスで、粘膜［図５の（５２）］内に縫糸を残置してしまう確率が高く、残った縫糸の除去は完全に取り除くことが難しく、なお除去には手間がかかり被治療者に相当な苦痛を与えるとともに、また、治療者にも作業上の負担となるものである。
【０００７】
これらは、刃先部分の形状によって縫糸のカットの対応が厄介になるものであり、これは、スムーズに糸をすくって一端、糸を確実に持ち上げて、メスを水平方向に動かしメスに糸が掛かっていることを確認した後で、糸を滑らせるようにして刃の部分に移動させてカットするようにしないとカット失敗後の対応に手間どり効率が悪い。
また、段差があるとメスがスムーズに移動が出来なく困る。即ち、結び目自体を切ってしまったり結び目の真ん中で切ってしまうことになる。そのため糸をスムーズにすくいあげていることを確実に確認して切る必要がある。糸が埋没してしまうと、その部分を切開しないと糸を取ることができないので、手間と作業が厄介で困難となる。
【課題を解決するための手段】
【０００８】
本考案は、かかる従来技術の問題点を解決する目的であり、従来から使用のメスの先端部の形状を変更し、繰り返しの実験をすることにより、その作業法も同時に変えて、効果の結果が得られた。
よって、本考案を前記のことを実施例の図１に示すもので順を追って、以下に述べる。
【０００９】
例えば、図５に示す従来品のナイフまたは、メスは、
イ）メス（ナイフ）の先端部から刃が設けられているので、縫糸をカットする瞬時に糸をカットしたりする。
ロ）また、刃の先端で粘膜／上皮（図５の５２）を傷付けていた。
従って、図１の本考案の実施例１に示す様に、刃先のすくい上面（１２）部の上下側がほぼ平行面で、上側面は無刃部の長さＬを設けてあるので、縫糸の下側に差し込んで位置・状況を左右の横方向に振りながら確認した後にメスの刃１１を追い込んで（挿入）縫糸をカットすることが巧くできて、安全・確実に対処することが出来る。
【００１０】
また、図５に示すように、上顎あるいは下顎５１の粘膜／上皮５２が半球形状をしている所の縫糸のカットの作業を簡単容易にするために、刃の反対側の背面のぬすみ１４を設けて刃先を細長い形態にしているので図５の様なピンセット２７と手術用メス（ナイフ）１０の両方の併用は必要なく、図４の様に片手にて容易に、確実に、完全に、縫糸のカット作業ができる。
【００１１】
図６で実施例２及び図７で実施例３を示した。図６及び図７も同様な使い方をする。図６の実施例２は、メスの刃２１の先端部のすくい上面１２に平面部Ｌを設けることで縫糸をこの平面部でガイドして刃２１でカットする。粘膜／上皮５２に傷を付加しない操作をするために、刃の反対側に下顎骨の半球形に沿う様な背面のぬすみ１４を備えているのはメス２０の取扱いの姿勢を低くするためで、カット部の作業性の確認方を容易にするためである。メスを使う空間範囲に余裕があれば縫糸のカット時は、メスの刃２１は押して削除するのに余り神経を使うこともないが、狭い場ではカット部の確認に注視が必要である。
【００１２】
図７の実施例３は、メスの刃３１の先端部のすくい上面３２に凹面Ｒｍを設けることで縫糸の下からすくい上げを容易にし、カットが巧く円滑、安全に、確実に対処が可能となる。
【考案の効果】
【００１３】
本考案の第１実施例において、縫糸の結び目の下側に挿入するメスの先端の刃先部は、
イ）上下側面が平行で、刃部の一部の上側は平面に切り落としのため、船先が細長い形状の形成になるから縫糸の下からすくい上げが容易で縫糸のカットが簡単確実である。
ロ）刃１１の反対側の背面に、ぬすみ１４を設け、顎５１の粘膜／上皮５２の表面に沿うように、滑らかな、へこみ部の半径Ｒ２の凹面を形成するため、作業の正確性、効率性が高く、確実、簡単に作業を行うことができる。
これから図４の実施例示の様に縫糸の下側にメスを追い込み（挿入）すれば、刃１１により縫糸２６のカット（切断）を円滑に、安全に、確実にできる。
よって、狭い口腔内でも治療者は、神経質にならずに口腔内に切傷することなく短時間に容易に治療の作業ができる。
【００１４】
また、図６の本考案の第２実施例の切断用メスの実施例において、
イ）縫糸の結び目の下側にメスの刃先の先端部を挿入して、縫糸をカットする前に確認するために無刃部の平坦部Ｌ２２を設けている。
ロ）刃部の反対側の背面は、顎骨５１の半球形状面の粘膜／上皮５２に沿うように滑らかな、ぬすみ１４のすくい凹面Ｒｍの形状をしている。
よって、カットする縫糸２６の結び目の下側にメス２１を追い込み（挿入）して無刃部の平坦部に縫糸が位置した状態で水平方向に動かし、確かめた後に縫糸のカット作業ができる。
【００１５】
また、図７の本考案の第３実施例も同様の目的・効果のために、
イ）縫糸の結び目の下側にメスの刃先の先端部を挿入して、縫糸をカットする前に水平方向に動かし、縫糸の位置・状況をすくいの凹面のＲｍで確かめた後にカットする。
即ち、カットする縫糸２６の結び目の下側にメス３１を追い込み（挿入）して無刃部の凹面Ｒｍで縫糸が位置した状態で水平方向に動かし、確かめた後に縫糸のカットの作業を行う。
【００１６】
狭い口腔内の奥部でのメスあるいはナイフを誤っての追い込み（挿入）し過ぎることによる縫糸のカットで口腔内を切傷を防ぐことが出来るので、短時間に容易に、安全に、確実に作業が出来る効果を有する。口腔内にてメスを追い込み（挿入）してカットする余裕のないスペース空間の場にての対応は、効果は顕著である。
また、人以外に、動物で使用することにも汎用性が拡大される。
【図面の簡単な説明】
【００１７】
【図１】本考案の第１実施例のメスの正面図
【図２】本校案の図１のメスの斜視図
【図３】本校案の図１のメスをホルダーに装着した斜視図
【図４】本考案の図１のメスで縫糸を切断時の使用例
【図５】従来のメスにて縫糸を切断時の使用例
【図６】本考案の第２実施例のメスの斜視図
【図７】本考案の第３実施例のメスの斜視図
【考案を実施するための形態】
【００１８】
以下、本考案の実施の形態を図にもとづいて、第１実施例より順を追って説明する。
図３は、メス用ホルダー２５にセットして使う、替刃の縫糸の切断用のメス１０であり、刃先部の特異な形状が、本考案の第１実施例である。
【実施例】
【００１９】
１０は、ステンレス材で製作の熱処理されたメスで、メス用ホルダー２５に替刃で使う。
１１は、ステンレス鋼板材の刃である。刃厚Ｔ≒０．４ミリで逆Ｖ字断面の山形状の削りの刃で材質は、ＪＩＳ規格のＳＵＳ４２０、ＳＵＳ４４０系類で熱処理をして使用する。
１２は、図４の縫糸２６の下側をすくい上げる「すくい上面」である。
刃先端部の上下側面は、ほぼ平行面で長さＬ≒３．５Ｔの関係にて成形される。
１３は、刃先の端面である。先端部の高さＨ≒１．５Ｔの関係にて成形される。
なお、先端部の下側面は、船先形状の三日月形の半径Ｒ０の形状で、図４の縫糸２６の下側にすくい容易（挿入容易化）のために細長い形状にして、縫糸のカットを容易にしている。
【００２０】
１４は、メス１０の刃１１の反対側の背面で三日月形の半径Ｒ０の形状のぬすみである。
１５は、本考案の主体であるメスの本体である。
１６は、ステンレス鋼板材の厚さを示す。メスの刃厚を記号のＴで示す。
１７は、メス用ホルダーに取付けるときの捨て長孔である。
１８は、メス用ホルダー２５の取付け用のテーパ面孔である。
【００２１】
図６は、図示なきメス用ホルダー２５に替刃として使用する縫糸のカット用のメス２１で、刃先部の形状が実施例１と異なる本考案の実施例２である。
なお、実施例２は、先端部刃にて縫糸をカットする時はメス本体２５の支点Ｆを使用してテコ式のカット法をとる。
実施例１のプッシュ（押し方）とは縫糸のカット手法が異なる使い方を行う。
しかし、必要にて刃１１を使用する時は実施例１と同一な縫糸のカットの使い方となる。
【００２２】
２０は、実施例１とは刃先部の形状が異なるも同様の目的で使う実施例２のメスである。
２１は、ステンレス鋼板材の刃である。刃厚Ｔ≒０．４ミリで逆Ｖ字断面の山形状の削りの刃で材質は、ＪＩＳ規格のＳＵＳ４２０、ＳＵＳ４４０系類で熱処理して使用する。
【００２３】
下記は、メスに「セラミックス材」を使用時の考案を参考に示す。
なお、セラミック材を刃具として使う場合は塑性面の強度からＴ≒１．５ミリの刃厚にして使う。先端刃は、縫糸のカット（切断）をプッシュ（押し方）式にて行うスペースの隙間がない時に使用する先端の刃である。（参考：ステンレス材使用時は、以下２１、３１の刃は、前記１１の寸法に準じる。但し、刃先端部の高さの寸法Ｈは、成形状から図６時のＨの値は、約３Ｔにとるが、図７の実施例３のＨの値は、約３．５Ｔを採用）
【符号の説明】
【００２４】
１０、２０、３０  （手術用の）メス、または、カッター、ナイフ
１１、２１、３１    メスの刃、または、カッターの刃
１２、２２、３２  （縫糸をすくう）すくい上面
１３、２３、３３    刃先端
１４  （背面の）ぬすみ、または、へこみ部
１５、２５、３５    メス本体、または、カッター本体
１６    刃厚
１７    捨て長孔
１８    テーパ面孔
２４    切断部、または、カット
２５    メス用ホルダー
２６    縫糸、または、縫合糸
２７    ピンセット
５１    下顎
５２    粘膜／上皮
５３    下歯
【００２５】
Ｌ  （刃先の）無刃部の長さ
Ｆ    支点（部）箇所
Ｔ  （メスの素材の）刃厚
Ｈ  （高さの方向の寸法）高さ
θ  （刃先のすくい部の）  ニゲ角度
Ｒ０  三日月形の半径
Ｒ１  支点部の半径
Ｒ２  へこみ部の半径
ｒ  （刃先角部の）半径
Ｒｍ  すくいの半径または、凹面  
【図１】
0003157568.tif 000003
【図２】
0003157568.tif 000004
【図３】
0003157568.tif 000005
【図４】
0003157568.tif 000006
【図５】
0003157568.tif 000007
【図６】
0003157568.tif 000008
【図７】
0003157568.tif 000009
【手続補正書】
【提出日】平成21年12月9日(2009.12.9)
【手続補正１】
【補正対象書類名】明細書
【補正対象項目名】００１１
【補正方法】変更
【補正の内容】
【００１１】
図６で実施例２及び図７で実施例３を示した。図６及び図７も同様な使い方をする。図６の実施例２は、メスの刃２１の先端部のすくい上面２２に平面部Ｌを設けることで縫糸をこの平面部でガイドして刃２１でカットする。粘膜／上皮５２に傷を付加しない操作をするために、刃の反対側に下顎骨の半球形に沿う様な背面のぬすみ１４を備えているのはメス２０の取扱いの姿勢を低くするためで、カット部の作業性の確認方を容易にするためである。メスを使う空間範囲に余裕があれば縫糸のカット時は、メスの刃２１は押して削除するのに余り神経を使うこともないが、狭い場ではカット部の確認に注視が必要である。
【手続補正２】
【補正対象書類名】明細書
【補正対象項目名】００１７
【補正方法】変更
【補正の内容】
【００１７】
【図１】本考案の第１実施例のメスの正面図
【図２】本考案の図１のメスの斜視図
【図３】本考案の図１のメスをホルダーに装着した斜視図
【図４】本考案の図１のメスで縫糸を切断時の使用例
【図５】従来のメスにて縫糸を切断時の使用例
【図６】本考案の第２実施例のメスの斜視図
【図７】本考案の第３実施例のメスの斜視図
【手続補正３】
【補正対象書類名】明細書
【補正対象項目名】００２５
【補正方法】変更
【補正の内容】
【００２５】
Ｌ  （刃先の）無刃部の長さ
Ｆ    支点（部）箇所
Ｔ  （メスの素材の）刃厚
Ｈ  （高さの方向の寸法）高さ
θ  （刃先のすくい部の）  ニゲ角度
Ｒ０  三日月形の半径  または、曲率半径
Ｒ１  支点部の半径
Ｒ２  へこみ部の半径  または、ぬすみ
ｒ  （刃先角部の）半径
Ｒｍ  すくいの半径または、凹面  
【手続補正４】
【補正対象書類名】実用新案登録請求の範囲
【補正対象項目名】全文
【補正方法】変更
【補正の内容】
【実用新案登録請求の範囲】
【請求項１】
人及び動物の外科手術で縫う糸を切断・除去するために使用するメス１０において、
イ）凹面したメスの刃の端部のすくい上面１２は、長さＬの無刃部として成形され、
ロ）刃先の端面１３の無刃部面のすくい上面１２とメスの先端部の下側面は、ほぼ平行になっており、
ハ）メスの先端部の無刃部の長さＬは、メスの素材の刃厚Ｔの３．５倍の大きさの目安にて成形され、
ニ）また、刃先部の高さＨは、メスの素材の刃厚Ｔの１．５倍の大きさの目安に成形され、
ホ）刃の反対側面は、曲率半径Ｒ０とする三日月形の凸状面として成形され、
且つ、半径Ｒ０状の中程に半径Ｒ２のぬすみ１４の面を持って成形された、
ことを特徴とする手術用メス。
【請求項２】
口腔内の顎骨の粘膜／上皮の手術用メス２０において、
イ）刃先部の上側端のすくい上面２２に平坦の長さＬの無刃部として成形され、
ロ）刃の反対側の下側の面と刃先端との接合の角部には、半径ｒ面をつけ、
ハ）刃先端の無刃部の長さＬは、メスの素材の刃厚Ｔの３．５倍の大きさの目安にて成形され、
ニ）また、刃先部の高さＨは、メスの素材の刃厚Ｔの１．５倍の大きさの目安に成形され、
ホ）刃の反対側の背面には、曲率半径Ｒ０とする三日月形の凸状面の中程に凹面のぬすみ１４を設けた、
ことを特徴とする口腔内で使用する手術用メス。
【請求項３】
口腔内の顎骨の粘膜／上皮の手術用メス３０において、
イ）刃先部の上側端のすくい上面３２に長さＬに無刃部として凹面Ｒｍ状に成形され、
ロ）刃先端の無刃部の長さＬは、メスの素材の刃厚Ｔの３．５倍の大きさの目安に成形し、
ハ）刃先部の高さＨは、メスの素材の刃厚Ｔの１．５倍の大きさの目安にて成形され、
ニ）刃の反対側の下側の面と刃先端３３との結合の刃先部は、小さい半径ｒを設け、
ホ）刃の反対側の背面は、曲率半径Ｒ０とする三日月形の凸状面の形状に成形した、
ことを特徴とする口腔内で使用する手術用メス。